(57)【要約】      （修正有） 【課題】携帯通信機器に記憶されているファイルを削除する際に、ユーザのファイル削除の補助を行うことができる携帯通信機器を提供する。【解決手段】本発明にかかる携帯通信機器は、ファイルのデータサイズやファイルの著作権設定の有無などの、自機に記憶しているファイルを順序化するための、基準を予め複数記憶している。そして削除するファイルを選択しようとする際にユーザは、それら基準の中のいずれかの基準を選択する。携帯通信機器はユーザにより選択された基準に基づいてファイルを順序化し、順序化された順番で携帯通信機器の表示画面の上部から下部方向に向けて、ファイルを一覧表示する。【選択図】図３
2006268728.tif 000002
【特許請求の範囲】
【請求項１】
メモリ中の各ファイルを順序化するための基準を、予め複数記憶している記憶手段と、
前記基準の中からユーザによる基準の指定を受け付ける基準受付手段と、
前記基準受付手段で受け付けた指定に係る基準に基づいてファイルを順序化する順序化手段と、
前記ファイル順序化手段によって順序化された順序に基づいてファイルの情報を出力する出力手段と、
出力されたファイルの情報の中から、ユーザにより１以上のファイルの情報の選択を受け付ける選択受付手段と、
前記選択受付手段で選択されたファイルを識別する情報に対応するファイルを削除する削除手段とを備える
ことを特徴とする携帯通信機器。
【請求項２】
前記基準受付手段は、
第１の順序化の基準をユーザに指定させる第１基準受付部と、
第２の順序化の基準をユーザに指定させる第２基準受付部とを備え、
前記順序化手段は、前記第１の順序化の基準でファイルを順序化し、前記第１の順序化の基準によれば同順となる各ファイルについては前記第２の順序化の基準で順序化する
ことを特徴とする請求項１記載の携帯通信機器。
【請求項３】
前記基準受付手段で選択されるファイルの順序化の基準は、
ファイルのデータサイズか、ファイルの拡張子か、ファイルのアクセス日時か、ファイルのアクセス回数か、ファイルの著作権かのいずれかに係る基準であり、
前記順序化手段は、選択された基準が、
ファイルのデータサイズに係る基準の場合は、データサイズの大きいものから降順に、
ファイルの拡張子に係る基準の場合は、所定の拡張子の順序で、
ファイルのアクセス日時に係る基準の場合は、アクセス日時の古いものから新しいものの順序に、
ファイルのアクセス回数に係る基準の場合は、回数の少ないものから昇順に、
ファイルの著作権に係る基準の場合は、著作権の無いものから有るものの順序に、
順序化を行う
ことを特徴とする請求項１記載の携帯通信機器。
【請求項４】
前記携帯通信機器は更に、ファイルを、そのファイルの属性によって格納するフォルダを変えて格納するファイル格納手段と、
ユーザによるフォルダの指定を受け付けるフォルダ指定受付手段とを備え、
前記順序化手段は、前記フォルダ指定受付手段で受け付けた指定に係るフォルダに格納されているファイルのみを対象にして順序化を行う
ことを特徴とする請求項１記載の携帯通信機器。
【請求項５】
携帯通信機器におけるファイルを削除する削除方法であって、
メモリ中のファイルを順序化するための基準を、予め複数記憶している記憶ステップと、
前記基準の中からユーザによる基準の指定を受け付ける基準受付ステップと、
前記基準受付手段で受け付けた指定に係る基準に基づいてファイルを順序化する順序化ステップと、
前記ファイル順序化手段によって順序化された順序に基づいて各ファイルを識別する情報の表示位置を決定し、表示する表示ステップと、
表示されたファイルを識別する情報の中から、１以上の情報のユーザによる選択を受け付ける選択受付ステップと、
前記選択受付手段で選択されたファイルを識別する情報に対応するファイルを削除する削除ステップとを含む
ことを特徴とする削除方法。
【請求項６】
携帯通信機器のコンピュータにファイルを削除させる各手順を実行させる削除プログラムであって、前記各手順は、
メモリ中の各ファイルを順序化するための基準を、予め複数記憶している記憶ステップと、
前記基準の中からユーザによる基準の指定を受け付ける基準受付ステップと、
前記基準受付手段で受け付けた指定に係る基準に基づいてファイルを順序化する順序化ステップと、
前記ファイル順序化手段によって順序化された順序に基づいて各ファイルを識別する情報の表示位置を決定し、表示する表示ステップと、
表示されたファイルを識別する情報の中から、１以上の情報のユーザによる選択を受け付ける選択受付ステップと、
前記選択受付手段で選択されたファイルを識別する情報に対応するファイルを削除する削除ステップとを含む
ことを特徴とする削除プログラム。
【発明の詳細な説明】
【技術分野】
【０００１】
本発明は、携帯通信機器のファイル削除技術に関する。
【背景技術】
【０００２】
近年、携帯電話機などの携帯通信機器のメモリの記憶容量は増大していっており、多くの音楽ファイルや、待ち受け画面に使う画像ファイルなど、多くのファイルを保存しておくことが可能となっている。
しかし、記憶容量が増大していっているとはいえ、その容量には限りがあるので、ダウンロードしたりして入手したこれらのファイルは、携帯通信機器の空き容量などの関係から、適宜ユーザによって削除されていく。
【０００３】
特許文献１には、メールにファイルを添付して送信した後に、添付したファイルを削除する携帯電話機が開示されている。
【特許文献１】特開２００４−１５１８９２号公報
【発明の開示】
【発明が解決しようとする課題】
【０００４】
ところで、ユーザがファイルを削除しようとする場合に、基本的にはユーザがいずれのファイルを削除するかを選択することになるが、ファイル数の多さなどといった理由から、ユーザは容易に削除対象とするファイルを見つけることができないことがある。また、携帯通信機器のメモリにおいて課金コンテンツや著作権ファイルの占有率も増加しており、そういった情報の全てをユーザが理解してファイルを削除することも困難になってきている。
【０００５】
そこで、本発明は上記問題に鑑みてなされたものであり、ファイルを削除しようとする際に削除に適していると思われるファイルをユーザに提示することができる携帯通信機器を提供することを目的とする。
【課題を解決するための手段】
【０００６】
上記課題を解決するため、本発明にかかる携帯通信機器は、メモリ中の各ファイルを順序化するための基準を、予め複数記憶している記憶手段と、前記基準の中からユーザによる基準の指定を受け付ける基準受付手段と、前記基準受付手段で受け付けた指定に係る基準に基づいてファイルを順序化する順序化手段と、前記ファイル順序化手段によって順序化された順序に基づいてファイルの情報を出力する出力手段と、出力されたファイルの情報の中から、ユーザにより１以上のファイルの情報の選択を受け付ける選択受付手段と、前記選択受付手段で選択されたファイルを識別する情報に対応するファイルを削除する削除手段とを備えることを特徴としている。
【０００７】
ここでいうファイルの順序化は、各ファイルの順序付けを行うことを意味する。また、出力手段が行う出力は、ユーザに順序化されたファイルを認識させるために行うものであって、例えば自機のディスプレイに表示したり、あるいは、テレビなどにデータを送信してテレビの画面上に表示したりすることを含む。
【発明の効果】
【０００８】
上述のような構成によって、携帯通信機器は、ユーザが選択した基準に基づいてファイルを並べ替えて、並べ替えた順序で、ファイル名を一覧表示し、ユーザにファイル削除において削除対象となる可能性の高いファイルを上位に提示し、ユーザにファイルを削除させることができる。並べ替えた順序はもともと選択された基準において上位から削除するのに適しているようになっており、上位に位置されたファイルに対応するファイル名を上から表示することで削除対象となる可能性の高いファイルを優先的に表示することができる。
【０００９】
また、前記基準受付手段は、第１の順序化の基準をユーザに指定させる第１基準受付部と、第２の順序化の基準をユーザに指定させる第２基準受付部とを備え、前記順序化手段は、前記第１の順序化の基準でファイルを順序化し、前記第１の順序化の基準によれば同順となる各ファイルについては前記第２の順序化の基準で順序化することとしてよい。
これにより、携帯通信機器は、２つの基準に基づいてファイルの並べ替えを行うことができる。ファイル数が多い場合には一度の並べ替えだけではユーザにとって削除したいと思うファイルを発見できない可能性がある。しかし、上記構成を備えることで、１回順序化を行った後に、１回目の順序化で同順となったファイルについて、２回目を別の基準でファイルを並べ替えて、順序化によって上位にきたファイルから表示することができるので、ユーザはより削除すべきファイルを検索しやすくなる。
【００１０】
また、前記基準受付手段で選択されるファイルの順序化の基準は、ファイルのデータサイズか、ファイルの拡張子か、ファイルのアクセス日時か、ファイルのアクセス回数か、ファイルの著作権かのいずれかに係る基準であり、前記順序化手段は、選択された基準が、ファイルのデータサイズに係る基準の場合は、データサイズの大きいものから降順に、ファイルの拡張子に係る基準の場合は、所定の拡張子の順序で、ファイルのアクセス日時に係る基準の場合は、アクセス日時の古いものから新しいものの順序に、ファイルのアクセス回数に係る基準の場合は、回数の少ないものから昇順に、ファイルの著作権に係る基準の場合は、著作権の無いものから有るものの順序に、順序化を行うこととしてよい。
【００１１】
これにより、携帯通信機器は、ファイルの並び替えを行う際にファイルのファイルサイズの大小、あるいは種別、あるいはアクセス日時の新旧、あるいはアクセス回数の多少、あるいは著作権の有無による並べ替えが可能となる。
また、前記携帯通信機器は更に、ファイルを、そのファイルの属性によって格納するフォルダを変えて格納するファイル格納手段と、ユーザによるフォルダの指定を受け付けるフォルダ指定受付手段とを備え、前記順序化手段は、前記フォルダ指定受付手段で受け付けた指定に係るフォルダに格納されているファイルのみを対象にして順序化を行うこととしてよい。
【００１２】
これにより、携帯通信機器は、例えば音楽フォルダなど特定のフォルダに収められている複数のファイルを対象にして順序化を行うことができるようになる。ユーザが、特定の種類のファイルを消したいことが最初から分かっている場合には有効な構成である。
本発明に係る携帯通信機器におけるファイル削除方法は、メモリ中の各ファイルを順序化するための基準を、予め複数記憶している記憶ステップと、前記基準の中からユーザによる基準の指定を受け付ける基準受付ステップと、前記基準受付手段で受け付けた指定に係る基準に基づいてファイルを順序化する順序化ステップと、前記ファイル順序化手段によって順序化された順序に基づいて各ファイルを識別する情報の表示位置を決定し、表示する表示ステップと、表示されたファイルを識別する情報の中から、１以上の情報のユーザによる選択を受け付ける選択受付ステップと、前記選択受付手段で選択されたファイルを識別する情報に対応するファイルを削除する削除ステップとを含むことを特徴とする。
【００１３】
また、本発明に係る携帯通信機器におけるファイル削除プログラムは、携帯通信機器のコンピュータにファイルを削除させる各手順を実行させる削除プログラムであって、前記各手順は、メモリ中の各ファイルを順序化するための基準を、予め複数記憶している記憶ステップと、前記基準の中からユーザによる基準の指定を受け付ける基準受付ステップと、前記基準受付手段で受け付けた指定に係る基準に基づいてファイルを順序化する順序化ステップと、前記ファイル順序化手段によって順序化された順序に基づいて各ファイルを識別する情報の表示位置を決定し、表示する表示ステップと、表示されたファイルを識別する情報の中から、１以上の情報のユーザによる選択を受け付ける選択受付ステップと、前記選択受付手段で選択されたファイルを識別する情報に対応するファイルを削除する削除ステップとを含むことを特徴とする。
【００１４】
上記方法あるいはプログラムにより、携帯通信機器はユーザの望む基準でファイルを並べ替えて、その順序でファイル名などをユーザに提示でき、ユーザにファイルを削除させることができるようになる。
【発明を実施するための最良の形態】
【００１５】
以下、本発明にかかる携帯通信機器の一実施の形態である携帯電話機について図面を用いて説明する。
＜実施の形態＞
本発明に係る携帯電話機は、ファイル削除時にユーザの選択による並べ替え方法でファイルを並べ替えて、表示し、ユーザのファイル削除を支援する。以下、その携帯電話機の構成、扱うデータ、そして動作について説明していく。
【００１６】
＜構成＞
まず、本発明に係る携帯電話機の構成について図１の機能ブロック図を用いて説明する。
本発明に係る携帯電話機１００は、通信部１１０、アンテナ１１１、音声処理部１２０、マイク１２１、スピーカ１２２、表示部１３０、操作部１４０、記憶部１５０、制御部１６０を含んで構成される。
【００１７】
通信部１１０は、アンテナ１１１から受け取った受信信号を受話音声信号及び受信データ信号に復調し、復調した受話音声信号を音声処理部１２０に、受信データ信号を制御部１６０に出力するものである。また、音声処理部１２０からのＡ／Ｄ変換された送話音声信号、及び制御部１６０から与えられる電子メールなどの送信データ信号を変調し、アンテナ１１１から出力する機能を有する。
【００１８】
音声処理部１２０は、通信部１１０から出力された受話音声信号をＤ／Ａ変換してスピーカ１２２に出力すると共に、マイク１２１から取得した送話音声信号をＡ／Ｄ変換し、生成した信号を通信部１１０に出力する機能を有する。
表示部１３０は、ＬＣＤ（Liquid Crystal Display）などによって実現されるモニタで、制御部１６０の指示による画像を表示する機能を有し、待受け画面やメールの文書などを表示したりする。
【００１９】
操作部１４０は、テンキー、オンフックキー、オフフックキー、方向キー、決定キーなどの諸キー群を含み、ユーザの操作を受け付け、受け付けた操作内容を制御部１６０に伝達する機能を有する。
記憶部１５０は、ＲＯＭ（Read Only Memory）、ＲＡＭ（Random Access Memory）を含んで構成され、小型ハードディスクや不揮発性メモリなどによって実現される。記憶部１５０は、携帯電話機の各部を制御する各種プログラムや、待ちうけ画像や着信メロディなどを含む各種データを記憶する機能を有する。これらの待ちうけ画像などのファイルは、ＲＡＭのユーザメモリ領域（図示せず）に格納される。ユーザが削除できるファイルは基本的に、ユーザメモリ領域内に含まれるファイルだけになる。ユーザメモリ領域以外のメモリ領域としては、システム領域があり、こちらはＲＯＭあるいはＲＡＭに格納される携帯電話機１００が動作する上で必須となるプログラムやデータが収められる。
本発明に係るファイル削除プログラム１５１は、システム領域に記憶されている。
【００２０】
制御部１６０は、携帯電話機１００の各部を制御するものであり、記憶部１５０にある各種制御プログラムを読み出して制御を行うＣＰＵ（Central Processing Unit）である。操作部１４０でユーザからのファイル削除にあたって、どのファイルを削除するかを指示するためにファイルの一覧表示を行うキー入力を受けたら、ファイル削除プログラム１５１を記憶部１５０から読み出し、当該プログラムに従って、ファイル削除の際にユーザが削除したいと思うファイルを発見しやすくするためのファイルの並べ替えと、ユーザによって選択されたファイルの削除とを行う機能を有する。
【００２１】
＜データ＞
次に、携帯電話機１００が扱うファイルのデータについて説明する。ここでいうファイルには、画像データや、着メロ、ムービー、テキストデータ、ゲームアプリケーションなどがある。
図２には携帯電話機１００の記憶部１５０に記憶されているファイルのデータ一覧の一例を示している。同図にあるようにファイルデータ一覧表２００には、ファイル削除のときの順序化に際して並べ替えがしやすいように、ファイル名２０１に対応して、各ファイルのサイズ２０２、ファイル種別２０３、アクセス日時２０４、アクセス回数２０５と、著作権２０６が記述されている。なお、図示していないが各ファイル名は、それぞれのファイルのデータに対応している。
【００２２】
ファイルのサイズ２０２は、ファイルのデータ容量であり、キロバイト単位で数値が示されている。
ファイル種別２０３は、ファイルのデータフォーマットであり、ここではファイルの拡張子を記述してある。
アクセス日時２０４は、ファイルがアクセスされた最終日時を示しており、携帯電話機１００がそのファイルにアクセスするごとに、その日時が更新されていく。
【００２３】
アクセス回数２０５は、そのファイルが携帯電話機１００の記憶部１５０に記憶されてから、アクセスされた回数を意味しており、各ファイルごとに記憶部１５０に記憶され、アクセスがあるごとに回数が１加算されていく。
著作権２０６は、そのファイルに著作権の設定がなされているかどうかを示した情報である。基本的に課金サイトからダウンロードした着メロなどは著作権は有りで設定されており、個人が自己の携帯で作った着メロなどには著作権は無しで設定されていることが多い。この著作権情報は、そのファイルをユーザが金銭を払って入手したファイルかどうかを判断する基準になる。著作権の有無については、課金サイトからダウンロードしたものには著作権情報を「有」で設定するものとする。
【００２４】
また、記憶部１５０は、それぞれのファイルの並べ替え方の基準、ファイルサイズ、ファイル種別、アクセス日時、アクセス回数、著作権に対応してどのようにファイルを並べ替えるかに関する情報も保持している。具体的には、ファイルサイズの場合にはデータ容量の大きいものから降順に、ファイル種別の場合には所定の拡張子の順に、アクセス日時の場合にはその日時の古いものから昇順に、アクセス回数の場合はアクセス回数の少ないものから昇順に、著作権の場合には、著作権の無いものから有るものの順に並べ替えるという情報を保持している。
【００２５】
これらのデータを元に携帯電話機１００は、ファイルの並べ替えを行うことが可能となる。ファイルの並べ替え方については、携帯電話機の動作として後述する。
＜動作＞
次に、携帯電話機１００のファイル削除における動作を図５に示すフローチャートを用いて説明する。
【００２６】
まずユーザから操作部１４０を介してファイル削除指示を受け付けてファイル削除プログラム１５１を制御部１６０が読み出し起動する（ステップＳ５０１）。当該ファイル削除プログラム１５１に基づいて、携帯電話機１００は動作する。
すると制御部１６０は、まずファイルを識別する情報としてファイル名を、名前順あるいは格納順に並べて表示部１３０に表示させる。これでユーザは削除できるファイルを認識できる。ユーザは、このファイル名を選択して、ファイルの削除を行う。携帯電話機１００は、オプションメニューの表示要求があるかどうかを検知している（ステップＳ５０３）。オプションメニューの表示要求がない場合は（ステップＳ５０３のＮＯ）、表示されているファイル名の中から選択入力があるかどうかを検知する（ステップＳ５０５）。ここでいうオプションメニューは、ユーザが選択するファイルを並べ替えるための基準、ファイルサイズ、ファイル種別、アクセス日時、アクセス回数、著作権という選択項目の一覧を示したＧＵＩ（Graphical User Interface）である。オプションメニューの表示要求は、操作部１４０のオプションメニューの表示要求に対応している所定のキーの押下を受けて行われる。
【００２７】
そしてユーザによる削除ファイルの選択を検知して（ステップＳ５０５のＹＥＳ）、選択されたファイル名に対応する全ての情報を記憶部１５０から削除して（ステップＳ５１５）終了する。削除するファイルと対応するファイル名の選択を検知しない場合には（ステップＳ５０５のＮＯ）ステップＳ５０３に戻って以降の処理を行う。
ステップＳ５０３において、オプションメニューの表示要求があったならば（ステップＳ５０３のＹＥＳ）、制御部１６０は、表示部１３０にオプションメニューを表示させる（ステップＳ５０７）。このオプションメニューは、削除する際にファイルを並び替えを行う基準を一覧表示したメニューである。オプションメニューを見てユーザはファイルの並び替えを行うかどうかを判断する。並び替え基準の選択入力があったならば（ステップＳ５０９のＹＥＳ）、選択された基準に基づいてファイルの順序化処理を行う（ステップＳ５１１）。ここでファイルの順序化処理は実際には、ファイルそれぞれを識別するファイル名などのファイルの識別子の順序化をもって行っている。
【００２８】
この順序化処理は、ファイルサイズの場合は、データ容量の大きいものから降順に順序化する。これはデータ容量の大きいものの方が携帯電話機のユーザメモリ領域の記憶容量を大きく開けることができるためである。
ファイル種別が選択された場合は、メーカ定義もしくはユーザ定義によって定められたファイルの拡張子の昇順、例えば、jpeg、gif、mp3の順といった具合に順序化する。
【００２９】
アクセス日時の場合は、アクセス日時の古いものから新しいものの順番になるように順序化する。これはアクセス日時の古いものはユーザによって使用されなくなって久しく、ユーザにとって不要である可能性が高いためである。
アクセス回数の場合は、アクセス回数の少ないものから昇順に順序化する。これは、アクセス回数の少ないものは使用頻度が少ないということで、ユーザにとって不要である可能性が高いためである。
【００３０】
著作権の場合は、著作権の無いものから有るものへと順序化する。これは著作権のあるファイルは、課金サイトからダウンロードしたファイルが多く、対価を払って入手したファイルをユーザは削除したがらないという観点からである。
順序化の終了後、表示部１３０は、順序化されたファイルを一覧表示し、ユーザに提示する。携帯電話機１００は、提示された一覧を見たユーザによって削除するファイルが選択されるまで待つ（ステップＳ５１３のＮＯ）。削除するファイルの選択入力があったなら（ステップＳ５１３のＹＥＳ）、選択されたファイルを記憶部１５０から消去して（ステップＳ５１５）終了する。ファイルの選択は、方向キーの上下でカーソルを移動させて、カーソルが目的のファイル名上に来たときに決定キーの押下によってなされる。
【００３１】
以上がファイル削除時における携帯電話機１００の動作であるが、以上の動作を具体例を挙げて図３と図４を用いて、説明する。
まず携帯電話機１００は、図２に示すようなファイル一覧を記憶しており、このファイルの中からユーザはどれかを削除しようとしている。ユーザはファイルの削除指示を入力する。すると携帯電話機１００の表示部１３０は、図３（ａ）にあるように、ファイルの削除を行おうとしてファイル名の一覧を表示する。このファイル名の一覧を見て、ユーザは削除すべきファイルが分かりにくいと判断した場合は、オプションメニューの表示指示を入力する。実際には対応するオプションメニュー表示キーの押下で行われる。
【００３２】
オプションメニューの表示指示を受けて制御部１６０は、表示部１３０にオプションメニューの表示指示を出す。
そうすると表示部１３０は、図３（ｂ）に示すようなオプションメニューを表示する。同図にあるようにオプションメニューには、ファイル削除に役立つと思われる並べ替え基準の一覧が示されている。
【００３３】
この一覧の中からユーザは方向キーを使って選択カーソルを動かし、並べ替えの基準を選択して決定キーを押下する。ここではファイルサイズによる並べ替えを選択したものとする。ファイルサイズによる並べ替えが選択されたことによって図４（ａ）のように並んでいたファイルが、図４（ｂ）のように並べ替えられ、携帯電話機１００の表示部１３０には図３（ｃ）のように、並べ替えられた順にファイル名が表示される。ここに表示しきれていない分は、方向キーを押下して下側にスクロールさせると、表示されていないファイル名も表示される。
【００３４】
そしてユーザは、上位に表示されているのがファイル削除に適しているファイルと認識し、図３（ｃ）のように表示されたファイルの中から削除するファイルを選択して、ファイルの削除を行って終了する。
＜実施の形態２＞
実施の形態２においては実施の形態１と異なり、１回の並べ替えだけではユーザが削除したいと思うファイルがユーザにとって分かりにくかった場合に、１回目の並べ替えによる並び順をある程度保ったまま、更にもう一度別の基準で並べ替えを行うことを説明する。
【００３５】
以下、図面を用いながら実施の形態２に係る携帯電話機について説明していく。
＜構成＞
実施の形態２に係る携帯電話機は、実施の形態１に係る携帯電話機１００のものとほとんど変わらないので実施の形態２も携帯電話機１００の構成に従って記述する。構成として実施の形態２に係る携帯電話機と実施の形態１に係る携帯電話機１００と異なる点は、図示しないが、記憶部１５０が、図６にあるような並び替え基準表６００を記憶している点にある。
【００３６】
＜データ＞
ここでは、記憶部が記憶している並べ替え基準表６００について説明する。
並べ替え基準表６００は、第１の基準で並べ替えを行った後、その並べ順をある程度保ったまま第２の並べ替えを行う際に、第２の並べ替えの対象となる範囲を示した表である。２つのおよそ関係のない基準でファイルを並び替えて携帯電話機の小さな画面に一次元方向でファイル一覧を表示する場合に、２回目の並べ替えを行うのにはファイルの並び順を決定するための並び替えの基準が必要となる。並べ替え基準表６００は、その基準を決定するための表である。
【００３７】
図６にあるように、並べ替え基準表６００は、第１基準内容６０１としてファイルサイズ６１１、ファイル種別６１２、アクセス日時６１３、アクセス日時６１４、著作権６１５に対応してそれぞれがどのレベル６０２で区切られて、各レベルにどういったファイルが含まれるのかを示している。例えば、ファイルサイズ６１１の場合、レベル１には１００１キロバイト以上のデータ容量を持つファイルが含まれ、レベル２には５０１キロバイト以上、１０００キロバイト以下のファイルが含まれる。
【００３８】
携帯電話機は、第２の並べ替えにおいては、第１の並べ替えが行われた後で、各レベルごとに各レベル内に含まれるファイルを順序化し、それらをつなぎあわせたものが携帯電話機１００の表示部１３０に表示されることになる。例えば第１の基準がアクセス日時であった場合には、アクセス日時の古いものから新しいものへとファイルの順序化が行われた後に、アクセス日時６１３に対応するレベルを読み出して、それぞれのレベル内に含まれるファイルに対して第２の基準で並べ替えを行う。
【００３９】
＜動作＞
ここから、実施の形態２に係る携帯電話機の動作について図９に示すフローチャートに基づいて説明する。
まず、ユーザは、第１の並べ替えの基準を選択する。携帯電話機１００は、当該選択を受け付けて（ステップＳ９０１）選択された並べ替えの第１基準に基づいて順序化処理を行う（ステップＳ９０３）。ここまでは、実施の形態１と同様である。そして第２の基準が選択されたならば（ステップＳ９０５のＹＥＳ）、並べ替え基準表６００を記憶部１５０から読み出し（ステップＳ９０７）、第１の基準と第１の基準内容の欄とを照らし合わせて、対応する第１の基準内用の各レベルを読み出して順序化したファイルを区切っていく（ステップＳ９０９）。そして区切られて分類された各レベル内のファイルについて、レベル毎にファイルの順序化を第２の基準で行う（ステップＳ９１１）。そして順序化されたファイルをレベル１から順に画面上部を上位として、下方向に向けて一覧表示する（ステップＳ９１３）。このあと、ユーザは、表示されたファイル名の一覧を見てどのファイルを削除するかを選択してファイルを削除することになる。
【００４０】
続いて、実施の形態２に係る携帯電話機の動作を具体例を図７及び図８の図面を用いて図９のフローチャートと対応させながら説明する。ここではユーザは第１の基準としてファイルサイズを、第２の基準として著作権の有無を選択することにする。
まず、ユーザはファイル削除を行おうとして、ファイル削除要求の入力を操作部１４０を介して行うと、図７（ａ）に示すように、ファイルの一覧が名前順に表示される。この時点でどのファイルを削除すべきか分からなかったユーザは、オプションメニューを呼び出す操作を行う。すると表示部１３０には、図７（ｂ）に示すようなファイルを並べ替えのための基準を選択するためのオプションメニューが表示される。そのオプションメニューを見て、ユーザは操作部１４０の方向キーを操作してカーソルを移動させて並べ替えの基準を選択する（ステップＳ９０１）。ここでは、ファイルサイズを選択する。
【００４１】
すると制御部１６０は、ファイルをそのデータ容量が大きいものから降順に順序化して（ステップＳ９０３）、一時的に記憶部１５０に記憶させる。
そして、第２の並べ替え基準の選択があったなら（ステップＳ９０５のＹＥＳ）、まず、制御部１６０は、並べ替え基準表６００のファイルサイズ６１１の欄を読み出す（ステップＳ９０７）。ここでは図７（ｃ）のように、著作権で並べ替えをすることをユーザが選択したとする。そこで著作権に対応する情報を読み出して、記憶部１５０に記憶していた順序のファイルを各レベルごとに区分けして行く。そしてレベル１に含まれるファイルに対して著作権情報の有無で、著作権の無いファイルから有るファイルへと順序化を行う。続いてレベル２に含まれるファイルに対して著作権情報の有無で順序化を行う。以下、各レベルに含まれるファイルについて著作権情報の有無に基づいて順序化を行う。
【００４２】
各レベルで順序化された各ファイル群を、レベル１から順に連ねて記憶部１５０に記憶し、その順序で表示部１３０の上部が順序化されたファイルの上位になるように、図７（d）のように表示する。図７（ｄ）では、ファイルの名前の横に、そのファイルのデータ容量と著作権の有無の情報も記述されている。なお、ファイルサイズはキロバイト単位で、著作権の有無は○×で示している。実際には図８に示したように、図８（ａ）のようにもとのファイル群がファイルサイズで順序化された後に、各レベルごとに区分けして第２の基準で並べ替えられて、図８（ｂ）のように順序化される。例えば、図８（ａ）において、ファイル名「ｍ」とファイル名「ｃ」に対応するデータは共にファイルサイズにおいて並べ替え基準表６００のファイルサイズ６１１によりレベル２に属することが分かり、このファイル「ｃ」は著作権が無いため、著作権のあるファイル「ｍ」よりも上位になっていることがわかる。なお、図８（ａ）は、ファイル群を実施の形態１で示したようにファイルサイズで順序化された後のファイルの一覧図であり、図８（ｂ）は、ファイル群がファイルサイズで順序化された後に著作権の有無で順序化されたあとのファイルの一覧図である。
【００４３】
最後にユーザは、並べ替えられたファイル名の中から削除するファイルを探してファイルを削除する入力を行って終了する。
＜補足＞
以上、本発明に係る携帯電話機について上記実施の形態に基づいて説明してきたが、本発明の実施の形態はこれに限るものでないことは勿論である。以下、その変形例について説明していく。
（１）上記実施の形態２においては、並べ替え基準表６００は予め携帯電話機に記憶されているものとしたが、ユーザによってそのレベルのレンジ、即ち、各レベルにどの範囲内のファイルが属するかを変更することができてもよい。これにより、その携帯電話機のユーザの好みにより近い削除のための並べ替えができるようになる。
（２）上記実施の形態においては、著作権情報は、課金サイトからダウンロードしたファイルは、その著作権情報が「有」で設定されているものとしたが、これは別にユーザの好みで設定されても良い。例えば特定のサイトからダウンロードしたコンテンツのみに対して著作権情報「有」に設定することとしてよいし、あるいはコンテンツを配信する側で、最初から設定されていることとしてもよい。
（３）上記実施の形態においては、並べ替えにおける基準は、ファイルのファイルサイズ、ファイルの種別、ファイルのアクセス最終日、ファイルのアクセス回数、著作権の有無の５つとしたが、並べ替え方法はこれに限ることはない。実施の形態における基準以外にも、例えばユーザによる保護がなされているかどうかで並べ替えたりしても良い。ファイルのユーザによる保護設定がなされているものは、保護設定されているものは、そのファイルの削除ができないようになっているので、保護設定を基準の一つに設け、これが選択された場合には保護設定されていないファイルが上位にくるものとする。
（４）実施の形態２において並べ替え基準表６００は予め携帯電話機に記憶されていることとしてが各レベルの範囲はユーザの操作により、自由にそのレンジを変えることができることとしてよい。これにより、よりユーザライクにファイルの並べ替えが行えるようになる。
（５）上記実施の形態２においては、一度第１の基準でファイルを並べ替えてから、領域に区切り各領域に関して第２の基準で並べ替えを行ったが、これは他の方法をとってもよい。例えば図６に示す並べ替え基準表６００で示される各レベルにファイルをまず第１の基準に対応したレベルで並べ替えを行わずに区分けする。そして区分けされた各レベルごとに第２の基準によるファイルの順序化処理を行い、そしてレベル１のものが上位にくるように表示することとしてもよい。
（６）上記実施の形態においては、ファイルは縦方向に並べられて表示されていたが、これは画面左側を上位にして、横方向に並べて、横方向にスクロールするようにしてもよい。
（７）上記実施の形態においては、ファイル削除における順序化は、ユーザデータ領域内の全データを対象にしていたが、これはその限りではない。例えば、ユーザデータ領域内において、更に音楽フォルダあるいは画像フォルダなど、データファイルの種別によって分類がなされていることが多く、それらフォルダのいずれかに含まれるファイルに対してのみ順序化を行うこととしてもよい。ユーザが初めからどの種類のファイルを削除したいかがわかっている場合に、順序化における携帯電話機の負担を多少軽減できる。
（８）上記実施の形態２においては、ファイルの順序化は２回行ったが、これは別に２回でなくてもよく、更に３回目、４回目のファイルの順序化を行わせても良い。
（９）上記実施の形態においては、表示部１３０にはファイル名の一覧が、並べ替えられた順序で表示され、それを見てユーザは削除するファイルを選択したが、１のファイル名にカーソルを合わせて所定のキーを押下することで、そのファイルの内容を確認できてもよい。これでユーザは、ファイルを削除する際に、削除しようと思っているファイルの内容を確認して本当に削除しても良いかどうかを判断できる。
（１０）上記実施の形態においては、携帯電話機の表示部１３０に順序化されたファイルを表示しているが、これは表示部１３０以外のディスプレイに表示されてもよい。例えば、テレビ受信機やLCDのあるプリンタなどに順序化したファイルのデータを送信して順序化したファイルを表示させるといったことも考えられる。
（１１）上記実施の形態においては、携帯通信機器として携帯電話機を例に本発明を説明したが、これは別に携帯電話機である必要は無く、例えばPDA（Personal Digital Assistance）のような携帯情報端末などであってもよい。
【産業上の利用可能性】
【００４４】
本発明は携帯電話機として活用することができる。
【図面の簡単な説明】
【００４５】
【図１】本発明に係る携帯電話機の機能ブロック図である。
【図２】本発明に係る携帯電話機が記憶しているファイルと各ファイルに対応する情報の一例を示したファイル一覧図である。
【図３】本発明に係る携帯電話機で、ファイル削除時においてそのディスプレイに表示される画面の一例を示した画面図である。
【図４】（ａ）本発明に係る携帯電話機がファイルを並べ替える前のファイル一覧図である。（ｂ）本発明に係る携帯電話機がファイルをファイルサイズに基づいて並べ替えた後の順序を示したファイル一覧図である。
【図５】本発明に係る携帯電話機の実施の形態１におけるファイル削除時の動作を示したフローチャートである。
【図６】本発明に係る携帯電話機の２段階でファイルを並び替えを行う際の第２段階目の並べ替えを行うときに必要となる並び替えのための基準領域を示した並べ替え基準表である。
【図７】本発明に係る携帯電話機の２つの基準で並べ替えを行う場合に携帯電話機の画面に表示される画面の一例を示した画面図である。
【図８】（ａ）携帯電話機で１回目の順序化がファイルサイズに基づいて行われた後のファイル順序の一例を示した一覧図である。（ｂ）携帯電話機で１回目の順序化がファイルサイズに基づいて行われた後に、２回目の順序化が著作権の有無に基づいて行われた後のファイルの順序の一例を示した一覧図である。
【図９】本発明に係る携帯電話機の実施の形態２における動作を示したフローチャートである。
【符号の説明】
【００４６】
１００  携帯電話機
１１０  通信部
１１１  アンテナ
１２０  音声処理部
１２１  マイク
１２２  スピーカ
１３０  表示部
１４０  操作部
１５０  記憶部
１５１  ファイル削除プログラム
１６０  制御部
２００  ファイル一覧表
６００  並べ替え基準表
【図１】
2006268728.tif 000003
【図２】
2006268728.tif 000004
【図３】
2006268728.tif 000005
【図４】
2006268728.tif 000006
【図５】
2006268728.tif 000007
【図６】
2006268728.tif 000008
【図７】
2006268728.tif 000009
【図８】
2006268728.tif 000010
【図９】
2006268728.tif 000011